(57)【要約】【課題】  組立及び包装の効率が良く、開閉部分が簡単に開放されない商品展示にも有利な商品包装用の組立容器を提供する。【解決手段】  組立容器１は、長方形の底面部２と、底面部と対向して１対の側面部４を介して底面部の両長辺に接続する天板部３と、底面部の両短辺に接続する１対の開閉部５と、開閉部の各々に１対ずつ設けられて開閉部を側面部の各々と接続する折り込み部６とを有し、折り込み部は各々単一面で構成されて開閉部を底面部に対して屈折させることによって折り込み部と開閉部との接続が谷折りとなり、天板部の長辺側両端部３ａが谷折りの位置に対応して底面部側へ屈折する。【選択図】  図３
0003132063.tif 000002
【実用新案登録請求の範囲】
【請求項１】
長方形の底面部と、前記底面部と対向して１対の側面部を介して前記底面部の両長辺に接続する天板部と、前記底面部の両短辺に接続する１対の開閉部と、前記開閉部の各々に１対ずつ設けられて該開閉部を前記側面部の各々と接続する折り込み部とを有し、
前記折り込み部は各々単一面で構成されて前記開閉部を前記底面部に対して屈折させることによって前記折り込み部と前記開閉部との接続が谷折りとなり、前記天板部の長辺側両端部が前記谷折りの位置に対応して前記底面部側へ屈折することを特徴とする組立容器。
【請求項２】
前記天板部は、前記底面部より長辺方向に長く延伸し、前記開閉部を屈折した時に前記天板部に当接する該開閉部の周縁が曲線であって前記天板部が湾曲する請求項１記載の組立容器。
【考案の詳細な説明】
【技術分野】
【０００１】
本考案は、店頭販売や通信販売等の商品包装時において組み立てて、商品を装填することによって化粧箱等として使用でき、纏めて積み重ねた状態での搬送にも耐え得る強度を有する商品包装用の組立容器に関する。
【背景技術】
【０００２】
商品の販売等において、化粧箱等の包装用容器として、使用時に組み立てて商品を装填することができる組立容器が用いられている。組立容器には、商品の寸法や重量、形状などに応じて様々なものが使い分けられている。
【０００３】
例えば、下記特許文献１には、丸みのある薄型形状の組立容器が提案されており、容器の開口部から内容物を見ることができ、積み重ねた状態での展示が可能であることが記載されている。
【特許文献１】実開昭４８−５１２９６号公報
【考案の開示】
【考案が解決しようとする課題】
【０００４】
組立容器が使い易いためには、容器の組立や開閉が簡単で、商品を装填し易いことが望ましく、また、内容物の荷重によって容器が簡単に開いたりせず、積み重ね等によって歪みや変形を起こさない程度の強度を備えていることが重要である。この様な点において、前記特許文献１の組立容器は、組立に手間暇を要するため、包装効率が良くない。又、短辺側端部において、内容物の荷重がかかることによって歪んだり組み込みが解かれて容器が解放される可能性があるため、組み立て後に係止部分を接着剤等で固着させる必要が生じていた。
【０００５】
本考案は、容器の組み立て及び開閉が簡単でありながら、内容物の荷重によって容易に開封されることがなく、適正な強度を有して負荷による歪み等を生じ難い組立容器を提供することを課題とする。
【課題を解決するための手段】
【０００６】
上記課題を解決するために、本考案の一態様によれば、組立容器は、長方形の底面部と、前記底面部と対向して１対の側面部を介して前記底面部の両長辺に接続する天板部と、前記底面部の両短辺に接続する１対の開閉部と、前記開閉部の各々に１対ずつ設けられて該開閉部を前記側面部の各々と接続する折り込み部とを有し、前記折り込み部は各々単一面で構成されて前記開閉部を前記底面部に対して屈折させることによって前記折り込み部と前記開閉部との接続が谷折りとなり、前記天板部の長辺側両端部が前記谷折りの位置に対応して前記底面部側へ屈折することを要旨とする。
【０００７】
上記天板部は、前記底面部より長辺方向に長く延伸すると好ましい。
【０００８】
又、上記開閉部を屈折した時に前記天板部に当接する該開閉部の周縁が曲線であって前記天板部が湾曲すると好ましい。
【考案の効果】
【０００９】
本考案によれば、平らに折り畳んだ使用前の状態から、簡単な操作によって商品を装填して組み立て及び閉止を完了することができ、瞬時に商品の包装が行えるので、組立及び包装の効率が極めて良く、組立後の開閉部分が簡単に開放されないように係止される構造であるので商品の搬送にも有利であり、商品の表示及び外観にも優れた組立容器が提供される。
【考案を実施するための最良の形態】
【００１０】
本考案の組立容器は、ボール紙、厚紙等の可撓性及び屈曲性を備えるシート状素材で形成される容器で、菓子類、茶、乾物等の食品類や、洋装・和装小物、装飾品類等の各種商品の包装に好適に使用できる。
【００１１】
組立容器は、使用前に予め展開状態から糊付けして平らに折り畳まれた状態に作成しておき、商品の包装時に、簡単な操作によって商品を装填可能な状態とし、容器の組み立てと共に容器の閉止を完了することができる。従って、包装時に糊等の接着剤や紐などは不要であり、包装及び閉止を瞬時に行うことができる。組立後の容器は、開閉部の開放が抑制される構造となり、商品名等の表記が幅広い角度から見易く美観を備える形状である。
【００１２】
以下、実施例を参照して本考案の実施形態について具体的に説明する。図１〜３は、本考案に係る組立容器の一実施形態を示す。
【実施例】
【００１３】
組立容器１は、図１の展開図に示すように、長方形の底面部２及び天板部３と、１対の側面部と、底面部２の前後端（つまり短辺側）に接続する１対の開閉部５と、開閉部５の各々に１対ずつ設けられる折り込み部６とを有する。天板部３は、１対の側面部４を介して底面部２の両長辺に各々接続され、開閉部５は、各々、折り込み部６を介して側面部４の各々と接続されている。図１の展開においては、一方の側面部４と底面部２との接続及び折り込み部６と開閉部５との接続を形成するための糊代ｆ１，ｆ２が設けられ、糊代ｆ１，ｆ２での接着によって展開状態から組立容器１を作成する。但し、糊代ｆ１，ｆ２はこの位置に限定されるものではなく、側面部４と天板部３とを接続する様に設けても良い。
【００１４】
糊代ｆ１，ｆ２を接着した商品装填前の組立容器１は、図２のように平面状に折り畳まれており、底面部と天板部とが重なっている。商品装填時には、天板部３を底面部２から離すと、底面部２と天板部３とが対向し、これらと側面部４とで囲まれる空間に商品を装填し、両端の開閉部５を底面部２に対して屈折させて内側へ押し込み、底面部２に対して略垂直に立ち上げることによって、図３のように組立容器１の内部が開閉部５によって閉止されると共に、組立容器１の組み立が完了する。
【００１５】
組立後の組立容器１の開閉部５は、折り込み部６によって係止されて閉止状態に維持され、開封時には、開閉部５の縁部に設けられる略半円形の切欠７に指先を差込んで開閉部５を外側へ引き出すことにより開放される。
【００１６】
組立容器１において、開閉部５と側面部４とを接続する折り込み部６が単一面で構成されることにより、開閉部５を押し込んだ組み立て状態において折り込み部６と開閉部５との接続が谷折りとなる。つまり、内側へ凹んだ状態となるため、容器内部から外側方向への負荷が開閉部５に加わった時、折り込み部６が開閉部５を支持して負荷に対向して係止するので、容器の開放は抑制される。これに対して、折り込み部６を複数面で構成すると、屈折箇所が増えて折り込み部５の支持が不可能となり、この様な係止による開放抑制効果は得られない。
【００１７】
折り込み部５による開放抑制効果は、開閉部５に対する折り込み部６の角度が垂直である時に最も高いが、一方で、短辺方向の負荷によって折れ易くなる。強度バランスの点から、折り込み部６と側面部４と両端部３ａとの間に三角錐形の小間隙が形成される程度に垂直方向から傾斜する状態が好ましい。
【００１８】
容器を組み立てた状態で、天板部３は、底面部２より長辺方向に長く、開閉部５より外側へ延伸して庇状になる。この様に延伸する構造も、閉止状態の開閉部５が外側へ開放されるのを抑制する作用を補う。
【００１９】
組み立てた状態において、天板部３は開閉部５によって支持されるので、組立後の天板部３の形状は、開閉部５の形状によって規定され、開閉部５を折り込んだ時に天板部３に当接する周縁が直線であれば天板部３は平面になり、開閉部５の周縁が曲線であれば天板部３はそれに対応する曲面になる。本考案の組立容器では、天板部３の長辺側の両端部３ａは、底面部２側へ屈曲し、この屈曲があることによって、天板部３の強度が向上して潰れ難くなる。図１〜３の実施形態では、開閉部５は、台形の長辺を円弧状曲線に変更した形状であり、天板部長辺側の両端部３ａは屈折して折り目を形成し、天板部中央付近の主要部分３ｂは緩やかに湾曲しており、この実施形態は、強度の点で最も有効なものの１つである。又、天板部長辺側の両端部３ａが屈折する折り目の位置は、折り込み部６の谷折りの位置に対応しており、天板部の折り目と折り込み部の谷折りとがかみ合うことによって開閉部の係止が補強される。
【００２０】
図３は、組立容器を底面側から見上げた斜視図であるが、天板部側から視ると、天板部３（特に主要部３ｂ）は滑らかに湾曲しているので、組立容器を視る角度が変わっても、天板上に印刷される商品名の表示や模様等が見易く、商品展示等に有利である。
【００２１】
天板部３に開口を設けて、内容物が視認できるようにしても良い。
【図面の簡単な説明】
【００２２】
【図１】本考案に係る組立容器の展開図。
【図２】図１の組立容器を糊付けした使用前の折り畳んだ状態を示す平面図。
【図３】図２の組立容器を組み立てた状態を示す底面部側からの斜視図。
【符号の説明】
【００２３】
１：組立容器、２：底面部、３：天板部、３ａ：両端部、３ｂ：主要部
４：側面部、５：開閉部、６：折り込み部、７：切欠、ｆ１，ｆ２：糊代
【図１】
0003132063.tif 000003
【図２】
0003132063.tif 000004
【図３】
0003132063.tif 000005